(57)【要約】【課題】  映像出力先がアナログ映像出力端子に設定される場合にも、ＨＤＭＩデータから音声データを生成し出力すること。【解決手段】  ＡＶアンプは、映像入出力経路を、少なくとも、アナログ映像入力端子−画像処理部−アナログ映像出力端子、又は、ＨＤＭＩ入力端子−画像処理部−ＨＤＭＩ出力端子に切り換える切換手段と、ＨＤＭＩ入力端子にＨＤＭＩデータが入力されているか否かを判断する入力判断手段と、映像入出力経路が、アナログ映像入力端子−画像処理部−アナログ映像出力端子であるか否かを判断する経路判断手段とを備え、映像入出力経路が、アナログ映像入力端子−画像処理部−アナログ映像出力端子であり、かつ、ＨＤＭＩ入力端子にＨＤＭＩデータが入力されている場合、ＨＤＭＩ受信部が、ＨＤＭＩデータから音声データのみを生成する。【選択図】図１０
2011004315.tif 000002
【特許請求の範囲】
【請求項１】
映像データ及び音声データを含む所定規格デジタルデータが入力される１つ以上の所定規格デジタル入力端子と、
アナログの映像信号が入力される１つ以上のアナログ映像入力端子と、
前記所定規格デジタルデータを出力する１つ以上の所定規格デジタル出力端子と、
アナログの映像信号を出力する１つ以上のアナログ映像出力端子と、
前記所定規格デジタル入力端子に入力される所定規格デジタルデータを受信し、所定規格デジタルデータから映像データおよび／または音声データを生成する受信手段と、
映像入出力経路を、少なくとも、アナログ映像入力端子−アナログ映像出力端子、又は、所定規格デジタル入力端子−所定規格デジタル出力端子に切り換える切換手段と、
前記所定規格デジタル入力端子に所定規格デジタルデータが入力されているか否かを判断する入力判断手段と、
映像入出力経路が、アナログ映像入力端子−アナログ映像出力端子であるか否かを判断する経路判断手段とを備え、
映像入出力経路が、アナログ映像入力端子−アナログ映像出力端子であり、かつ、前記所定規格デジタル入力端子に所定規格デジタルデータが入力されている場合、前記受信手段が、所定規格デジタルデータから音声データのみを生成する、映像音声処理装置。
【請求項２】
映像データ及び音声データを含む所定規格デジタルデータが入力される１つ以上の所定規格デジタル入力端子と、
アナログの映像信号が入力される１つ以上のアナログ映像入力端子と、
前記所定規格デジタルデータを出力する１つ以上の所定規格デジタル出力端子と、
アナログの映像信号を出力する１つ以上のアナログ映像出力端子と、
前記所定規格デジタル入力端子に入力される所定規格デジタルデータを受信し、所定規格デジタルデータから映像データおよび／または音声データを生成する受信手段と、
映像データに画像処理を実行する画像処理部と、
映像入出力経路を、少なくとも、アナログ映像入力端子−画像処理部−アナログ映像出力端子、又は、所定規格デジタル入力端子−画像処理部−所定規格デジタル出力端子に切り換える切換手段と、
前記所定規格デジタル入力端子に所定規格デジタルデータが入力されているか否かを判断する入力判断手段と、
映像入出力経路が、アナログ映像入力端子−画像処理部−アナログ映像出力端子であるか否かを判断する経路判断手段とを備え、
映像入出力経路が、アナログ映像入力端子−画像処理部−アナログ映像出力端子であり、かつ、前記所定規格デジタル入力端子に所定規格デジタルデータが入力されている場合、前記受信手段が、所定規格デジタルデータから音声データのみを生成する、映像音声処理装置。
【請求項３】
映像入出力経路が、アナログ映像入力端子−画像処理部−アナログ映像出力端子であり、かつ、前記所定規格デジタル入力端子に所定規格デジタルデータが入力されていない場合、前記受信手段が電源オフ状態になる、請求項２に記載の映像音声処理装置。
【請求項４】
映像入出力経路が、所定規格デジタル入力端子−画像処理部−所定規格デジタル出力端子である場合、前記受信手段が、所定規格デジタルデータから映像データおよび／または音声データを生成する、請求項２または３に記載の映像音声処理装置。
【請求項５】
前記切換手段が、映像入出力経路を、アナログ映像入力端子−画像処理部−所定規格デジタル出力端子にも切換可能であり、
映像入出力経路が、アナログ映像入力端子−画像処理部−所定規格デジタル出力端子である場合、前記受信手段が電源オフ状態になる、請求項２〜４のいずれかに記載の映像音声処理装置。
【請求項６】
前記所定規格デジタル出力端子に接続される機器が所定規格デジタルデータを受信可能な状態であるか否かを判断する状態判断手段をさらに備え、
前記所定規格デジタル出力端子に接続される機器が所定規格デジタルデータを受信可能な状態である場合、前記切換手段が、映像出力先を、前記所定規格デジタル出力端子に切り換え、
前記所定規格デジタル出力端子に接続される機器が所定規格デジタルデータを受信不可能な状態である場合、前記切換手段が、映像出力先を、前記アナログ映像出力端子に切り換える、請求項１〜５のいずれかに記載の映像音声処理装置。
【請求項７】
映像データ及び音声データを含む所定規格デジタルデータが入力される１つ以上の所定規格デジタル入力端子と、
アナログの映像信号が入力される１つ以上のアナログ映像入力端子と、
前記所定規格デジタルデータを出力する１つ以上の所定規格デジタル出力端子と、
アナログの映像信号を出力する１つ以上のアナログ映像出力端子と、
前記所定規格デジタル入力端子に入力される所定規格デジタルデータを受信し、所定規格デジタルデータから映像データおよび／または音声データを生成する受信手段と、
映像入出力経路を、少なくとも、アナログ映像入力端子−アナログ映像出力端子、又は、所定規格デジタル入力端子−所定規格デジタル出力端子に切り換える切換手段とを備える映像音声処理装置に、
前記所定規格デジタル入力端子に所定規格デジタルデータが入力されているか否かを判断するステップと、
映像入出力経路が、アナログ映像入力端子−アナログ映像出力端子であるか否かを判断するステップと、
映像入出力経路が、アナログ映像入力端子−アナログ映像出力端子であり、かつ、前記所定規格デジタル入力端子に所定規格デジタルデータが入力されている場合、前記受信手段に、所定規格デジタルデータから音声データのみを生成させるステップとを実行させる、映像音声処理プログラム。
【発明の詳細な説明】
【技術分野】
【０００１】
本発明は、所定規格デジタル入力端子と、アナログ映像入力端子と、所定規格デジタル出力端子と、アナログ映像出力端子とを備える、映像音声処理装置に関する。
【背景技術】
【０００２】
ＡＶアンプは、映像出力端子として、ＨＤＭＩ出力端子、及び、アナログ映像出力端子（コンポーネント、Ｓビデオ、ＣＶＢＳ等）を備えているが、画像処理部（以下、ＶＳＰという。）を経由した映像データを、ＨＤＭＩ出力端子又はアナログ映像出力端子のどちらか一方からしか出力することができない。そのため、ユーザ操作によって、映像出力先をＨＤＭＩ出力端子又はアナログ映像出力端子に設定する必要があり、この設定を誤ると、ＶＳＰを経由した映像をディスプレイ装置に出力できない。例えば、ＨＤＭＩ出力端子とアナログ映像出力端子に共にディスプレイ装置が接続されている状態で、ＨＤＭＩ出力端子に接続されているディスプレイ装置の電源をオフ状態にし、アナログ映像出力端子に接続されているディスプレイ装置の電源をオン状態にし、当該ディスプレイ装置に映像を表示する場合には、ユーザ操作によって、映像出力先をアナログ映像出力端子に設定する必要がある。
【０００３】
この問題を解決するために、映像出力先を自動的に設定することが考えられる。例えば、ＨＤＭＩ出力端子に接続されているディスプレイ装置からのホットプラグ信号を検出し、ホットプラグ信号がハイレベルであれば、映像出力先をＨＤＭＩ出力端子に設定し、ホットプラグ信号がローレベルであれば、映像出力先をアナログ映像出力端子に設定することが考えられる。
【０００４】
ここで、ＨＤＭＩは映像データと音声データとを含む所定規格デジタルデータであるが、ＡＶアンプは、ＨＤＭＩデータを、ＨＤＣＰ認証に成功した機器にしか出力することが許可されていない。映像出力先がアナログ映像出力端子に設定された場合、ＡＶアンプは、アナログ映像出力端子に接続されるディスプレイ装置とＨＤＣＰ認証に成功しない。従って、ＡＶアンプは、映像入力元をＨＤＭＩ入力端子に設定することができない。つまり、ＡＶアンプは、映像入力元をアナログ映像入力端子に設定し、アナログ映像入力端子から入力された映像信号を、アナログ映像出力端子から出力するようになる。これに伴い、ＡＶアンプは、音声入力元も、アナログ音声入力端子又はデジタル音声入力端子に設定し、アナログ音声入力端子又はデジタル音声入力端子から入力された音声信号を増幅してスピーカーに出力する。その結果、ＡＶアンプは、ＨＤＭＩデータに含まれている音声データを増幅してスピーカーに出力することができない。
【先行技術文献】
【特許文献】
【０００５】
【特許文献１】特開２００９−１００３２９号公報
【発明の概要】
【発明が解決しようとする課題】
【０００６】
本発明は上記従来の課題を解決するためになされたものであり、その目的は、映像出力先がアナログ映像出力端子に設定される場合にも、所定規格デジタルデータから音声データを生成し出力することができる映像音声処理装置およびそのプログラムを提供することである。
【課題を解決するための手段】
【０００７】
本発明の好ましい実施形態による映像音声処理装置は、映像データ及び音声データを含む所定規格デジタルデータが入力される１つ以上の所定規格デジタル入力端子と、アナログの映像信号が入力される１つ以上のアナログ映像入力端子と、前記所定規格デジタルデータを出力する１つ以上の所定規格デジタル出力端子と、アナログの映像信号を出力する１つ以上のアナログ映像出力端子と、前記所定規格デジタル入力端子に入力される所定規格デジタルデータを受信し、所定規格デジタルデータから映像データおよび／または音声データを生成する受信手段と、映像入出力経路を、少なくとも、アナログ映像入力端子−アナログ映像出力端子、又は、所定規格デジタル入力端子−所定規格デジタル出力端子に切り換える切換手段と、前記所定規格デジタル入力端子に所定規格デジタルデータが入力されているか否かを判断する入力判断手段と、映像入出力経路が、アナログ映像入力端子−アナログ映像出力端子であるか否かを判断する経路判断手段とを備え、映像入出力経路が、アナログ映像入力端子−アナログ映像出力端子であり、かつ、前記所定規格デジタル入力端子に所定規格デジタルデータが入力されている場合、前記受信手段が、所定規格デジタルデータから音声データのみを生成する。
【０００８】
映像入出力経路が、アナログ映像入力端子−アナログ映像出力端子であるにもかかわらず、所定規格デジタル入力端子に所定規格デジタルデータが入力されている場合には、受信手段は、所定規格デジタルデータから音声データのみを生成する。従って、映像音声処理装置は、映像出力先がアナログ映像出力端子に設定される場合にも、所定規格デジタルデータから音声データを生成し出力することができる。
【０００９】
本発明の別の好ましい実施形態による映像音声処理装置は、映像データ及び音声データを含む所定規格デジタルデータが入力される１つ以上の所定規格デジタル入力端子と、アナログの映像信号が入力される１つ以上のアナログ映像入力端子と、前記所定規格デジタルデータを出力する１つ以上の所定規格デジタル出力端子と、アナログの映像信号を出力する１つ以上のアナログ映像出力端子と、前記所定規格デジタル入力端子に入力される所定規格デジタルデータを受信し、所定規格デジタルデータから映像データおよび／または音声データを生成する受信手段と、映像データに画像処理を実行する画像処理部と、映像入出力経路を、少なくとも、アナログ映像入力端子−画像処理部−アナログ映像出力端子、又は、所定規格デジタル入力端子−画像処理部−所定規格デジタル出力端子に切り換える切換手段と、前記所定規格デジタル入力端子に所定規格デジタルデータが入力されているか否かを判断する入力判断手段と、映像入出力経路が、アナログ映像入力端子−画像処理部−アナログ映像出力端子であるか否かを判断する経路判断手段とを備え、映像入出力経路が、アナログ映像入力端子−画像処理部−アナログ映像出力端子であり、かつ、前記所定規格デジタル入力端子に所定規格デジタルデータが入力されている場合、前記受信手段が、所定規格デジタルデータから音声データのみを生成する。
【００１０】
アナログ映像入力端子から入力される映像信号を画像処理部で画像処理して、アナログ映像出力端子から出力することができる。また、映像入出力経路が、アナログ映像入力端子−画像処理部−アナログ映像出力端子であるにもかかわらず、所定規格デジタル入力端子に所定規格デジタルデータが入力されている場合には、受信手段は、所定規格デジタルデータから音声データのみを生成する。従って、映像音声処理装置は、映像出力先がアナログ映像出力端子に設定される場合にも、所定規格デジタルデータから音声データを生成し出力することができる。
【００１１】
好ましくは、映像入出力経路が、アナログ映像入力端子−画像処理部−アナログ映像出力端子であり、かつ、前記所定規格デジタル入力端子に所定規格デジタルデータが入力されていない場合、前記受信手段が電源オフ状態になる。
【００１２】
好ましくは、映像入出力経路が、所定規格デジタル入力端子−画像処理部−所定規格デジタル出力端子である場合、前記受信手段が、所定規格デジタルデータから映像データおよび／または音声データを生成する。
【００１３】
好ましくは、前記切換手段が、映像入出力経路を、アナログ映像入力端子−画像処理部−所定規格デジタル出力端子にも切換可能であり、映像入出力経路が、アナログ映像入力端子−画像処理部−所定規格デジタル出力端子である場合、前記受信手段が電源オフ状態になる。
【００１４】
好ましくは、前記所定規格デジタル出力端子に接続される機器が所定規格デジタルデータを受信可能な状態であるか否かを判断する状態判断手段をさらに備え、前記所定規格デジタル出力端子に接続される機器が所定規格デジタルデータを受信可能な状態である場合、前記切換手段が、映像出力先を、前記所定規格デジタル出力端子に切り換え、前記所定規格デジタル出力端子に接続される機器が所定規格デジタルデータを受信不可能な状態である場合、前記切換手段が、映像出力先を、前記アナログ映像出力端子に切り換える。
【００１５】
この場合、所定規格デジタル出力端子に接続される機器が所定規格デジタルデータを受信可能か否かに基づいて、映像出力先を所定規格デジタル出力端子に接続される機器とアナログ映像出力端子に接続される機器との間で自動的に切り換えることができる。従って、ユーザ操作に基づく映像出力先の設定が誤っており、映像が表示されないという問題を解決できる。
【発明の効果】
【００１６】
映像出力先がアナログ映像出力端子に設定される場合にも、所定規格デジタルデータから音声データを生成し出力することができる。
【発明を実施するための形態】
【００１７】
以下、本発明の好ましい実施形態による映像音声処理装置であるＡＶアンプ１について、図面を参照して具体的に説明するが、本発明はこれらの実施形態には限定されない。
【００１８】
図１Ａは、ＡＶアンプ１を示す概略図である。ＡＶアンプ１は、１又は複数のＨＤＭＩ入力端子（所定規格デジタル入力端子）ＩＮ１と、１又は複数のアナログ映像入力端子（例えばコンポーネント入力端子ＩＮ２、Ｓビデオ入力端子ＩＮ３、ＣＶＢＳ入力端子ＩＮ４）と、１又は複数の音声（アナログ又はデジタル）入力端子ＩＮ５、ＩＮ６とを有する。ＨＤＭＩ（所定規格デジタルデータ）はデジタルの映像データとデジタルの音声データとを送信することができる規格である。各入力端子には、ＤＶＤプレーヤ、ＶＴＲ、ＣＤプレーヤ等のコンテンツ再生装置が接続可能である。ここでは、ＨＤＭＩ入力端子ＩＮ１、コンポーネント入力端子ＩＮ２及び音声入力端子ＩＮ５にＤＶＤプレーヤ５０Ａが接続されている。
【００１９】
ＡＶアンプ１は、１又は複数のＨＤＭＩ出力端子（所定規格デジタル出力端子）ＯＵＴ１と、１又は複数のアナログ映像出力端子（例えばコンポーネント出力端子ＯＵＴ２、Ｓビデオ出力端子ＯＵＴ３、ＣＶＢＳ出力端子ＯＵＴ４）とを有する。本例では、ＨＤＭＩ出力端子ＯＵＴ１にＨＤＭＩ規格に準拠したディスプレイ装置６０Ａが接続され、コンポーネント出力端子ＯＵＴ２にＨＤＭＩ規格に準拠しないディスプレイ装置６０Ｂが接続されている。
【００２０】
ＡＶアンプ１は、ＨＤＭＩ受信部（以下、ＲＸという。）２と、スイッチ部３と、ビデオエンコーダ４と、画像処理部（以下、ＶＳＰという。）５と、ＨＤＭＩ送信部（以下、ＴＸという。）６と、音声処理部７と、ビデオエンコーダ８と、スイッチ部９と、マイコン等の制御部１０と、ＲＯＭ及びＲＡＭ等のメモリ１１と、操作表示部１２と、スイッチ部１３とを備える。
【００２１】
ＲＸ２は、ＨＤＭＩ入力端子ＩＮ１に（ＤＶＤプレーヤ５０Ａから）入力されるＨＤＭＩデータを受信して、受信したＨＤＭＩデータから元の映像データ（ＨＤＭＩ変換前の映像データ）を生成し、ＶＳＰ５に供給する。また、ＲＸ２は、受信したＨＤＭＩデータから元の音声データ（ＨＤＭＩ変換前の音声データ）を生成し、スイッチ部１３を介して音声処理部７に供給する。
【００２２】
スイッチ部３は、アナログ映像入力端子ＩＮ２〜ＩＮ４に入力される映像信号の中からビデオデコーダ４に供給する映像信号（つまりビデオデコーダ４に供給する映像信号が入力されるアナログ映像入力端子）を１つ選択する。また、スイッチ部３は、アナログ映像入力端子ＩＮ２〜ＩＮ４に入力される映像信号の中からスイッチ部９に供給すべき映像信号（つまりスイッチ部９に供給する映像信号が入力されるアナログ映像入力端子）を１又は複数選択する。つまり、スイッチ部３は、アナログ映像信号の入出力経路を切り換える手段の一部として機能する。スイッチ部３は、ユーザ操作によってセレクタ（ＤＶＤセレクタ、ＶＴＲセレクタ等）が変更された際や、ＨＤＭＩ出力端子ＯＵＴ１に接続されている機器がＨＤＭＩデータを受信可能な状態か否かに基づいて、映像入出力経路を切り換える。
【００２３】
ビデオデコーダ４は、スイッチ部３から供給された映像信号をデジタルの映像データに変換し、ＶＳＰ５に供給する。
【００２４】
ＶＳＰ５は、ＲＸ２から供給される映像データ及びビデオデコーダ４から供給される映像データの中から、画像処理すべき１つの映像データを選択する。ＶＳＰ５は、画像処理した映像データの出力先として、ＴＸ６及びビデオエンコーダ８の一方を選択する。ＶＳＰ５は、選択して入力された映像データについて、画像処理（例えば、解像度変換および画質調整）を実行し、ＴＸ６およびビデオエンコーダ８のうち選択された方に出力する。
【００２５】
ＴＸ６は、ＶＳＰ５から供給された映像データをＨＤＭＩデータに変換する。ＴＸ６は、変換したＨＤＭＩデータを、ＨＤＭＩ出力端子ＯＵＴ１を介して、ディスプレイ装置６０Ａに供給する。ＴＸ６は、ディスプレイ装置６０ＡのＲＸとＨＤＭＩケーブルを介して接続されている。ＨＤＭＩケーブルにはホットプラグラインが設けられているので、ＴＸ６は、ディスプレイ装置６０Ａからのホットプラグ信号を受信する。ＴＸ６は、ホットプラグ信号がハイレベルのとき、ディスプレイ装置６０ＡがＨＤＭＩデータを受信可能な状態であることを判断でき、ホットプラグ信号がローレベルのとき、ディスプレイ装置６０Ａが未接続又は電源オフ状態である等の理由で、ディスプレイ装置６０ＡがＨＤＭＩデータを受信不可能な状態であることを判断できる。
【００２６】
スイッチ部１３は、音声入力端子ＩＮ５、ＩＮ６に入力される音声信号およびＲＸ２から供給される音声データの中から音声処理部７に供給する音声信号（つまり音声処理部７に供給する音声信号が入力される入力端子）を１つ選択する。スイッチ部１３は、音声信号の入力経路を切り換える手段として機能する。スイッチ部１３は、ユーザ操作によってセレクタ（ＤＶＤセレクタ、ＶＴＲセレクタ等）が変更された際や、ＨＤＭＩ出力端子ＯＵＴ１に接続されている機器がＨＤＭＩデータを受信可能な状態か否かに基づいて、音声入力経路を切り換える。
【００２７】
音声処理部７は、ＲＸ２からスイッチ部１３を介して供給された音声データをデコードし、遅延処理、イコライザ処理、Ｄ／Ａ変換処理、音量調整処理、増幅処理等の各処理を実行し、外部に接続されたスピーカー７０に音声信号を供給する。音声処理部７は、音声入力端子ＩＮ５、ＩＮ６からスイッチ部１３を介して入力された音声信号に、上記の各処理を実行し、外部に接続されたスピーカー７０に音声信号を供給する。
【００２８】
ビデオエンコーダ８は、ＶＳＰ５から供給される映像データをアナログの映像信号に変換し、スイッチ部９に供給する。
【００２９】
スイッチ部９は、スイッチ部３及びビデオエンコーダ８から供給される映像信号の中からアナログ映像出力端子ＯＵＴ２〜ＯＵＴ４に出力する映像信号を選択する。つまり、スイッチ部９は、アナログ映像信号の入出力経路を切り換える手段の一部として機能する。スイッチ部９は、ユーザ操作によってセレクタ（ＤＶＤセレクタ、ＶＴＲセレクタ等）が変更された際や、ＨＤＭＩ出力端子ＯＵＴ１に接続されている機器がＨＤＭＩデータを受信可能な状態か否かに基づいて、映像入出力経路を切り換える。
【００３０】
制御部１０は、ＡＶアンプ１の各部を制御するものであり、メモリ１１に格納されている映像音声処理プログラムを実行することにより、後述する各処理を実行する。例えば、制御部１０は、ＨＤＭＩ出力端子ＯＵＴ１に接続されているディスプレイ装置６０Ａから出力されるホットプラグ信号を検出し、ホットプラグ信号がハイレベルの場合、映像出力先をＨＤＭＩ出力端子ＯＵＴ１に設定し、ローレベルの場合、映像出力先をアナログ映像出力端子（コンポーネント出力端子ＯＵＴ２）に設定する。制御部１０は、映像出力先をコンポーネント出力端子ＯＵＴ２に設定する場合、映像入力元をアナログ映像入力端子ＩＮ２〜ＩＮ４に設定する。従って、ユーザ操作によって映像出力先がＨＤＭＩ出力端子ＯＵＴ１に設定されている場合でも、ディスプレイ装置６０Ａの電源がオフ状態にされると、自動的に映像出力先がコンポーネント出力端子ＯＵＴ２に変更され、ディスプレイ装置６０Ｂに映像信号を出力することができる。
【００３１】
制御部１０は、映像入出力経路が「アナログ映像入力端子−ＶＳＰ５−アナログ映像出力端子」に設定される場合に、ＨＤＭＩデータがＨＤＭＩ入力端子ＩＮ１に入力されているか否かを判断する。入力されている場合には、制御部１０は、音声入力元のみをＨＤＭＩ入力端子ＩＮ１に設定し、ＲＸ２に、ＨＤＭＩデータから音声データのみを生成させ、音声データを音声処理部７に供給させる。このように、映像入力元がアナログ映像入力端子ＩＮ２〜ＩＮ４に設定される場合でも、音声入力元はＨＤＭＩ入力端子ＩＮ１に設定されるので、音声入力端子ＩＮ５、ＩＮ６から入力される音声信号よりも高音質であるＨＤＭＩデータから生成された音声信号を、増幅してスピーカー７０に出力することができる。
【００３２】
以下、本発明の動作を説明する。図２〜図１０は、制御部１０の処理を示すフローチャートである。
［メインルーチン］
図２は、制御部１０のメインルーチンを示す。制御部１０は、ユーザ操作による設定変更を確認する（Ｓ１０２）。例えば、セレクタが変更された、又は、出力解像度が変更されたか等が確認される。次に、制御部１０は、各映像入力端子ＩＮ１〜ＩＮ４に信号が入力されているか否かを確認する（Ｓ１０３）。次に、制御部１０は、ＨＤＭＩ出力端子ＯＵＴ１にディスプレイ装置６０Ａが接続され、かつ、ディスプレイ装置６０ＡがＨＤＭＩデータを受信可能であるか否かを確認する（Ｓ１０４）。次に、制御部１０は、現在選択されている映像入力端子ＩＮ１〜ＩＮ４に入力されている映像信号の解像度情報を取得する（Ｓ１０５）。次に、制御部１０は、Ｓ１０２〜Ｓ１０５の結果に基づいて、映像入出力経路を判定する（Ｓ１０６）。次に、制御部１０は、Ｓ１０２〜Ｓ１０６の結果、現在の状態から変更すべき設定があるか否かを判断する（Ｓ１０７）。変更すべき設定がある場合（Ｓ１０７でＹＥＳ）、制御部１０は、信号入出力経路等の切り換え処理を実行する（Ｓ１０８）。以下、各処理の詳細を説明する。
【００３３】
［入力映像信号検出処理］
図３はＳ１０３の詳細を示す。メモリ１１には映像信号検出結果を記憶するためのフラグ（ＣＶＢＳＤＥＴ、ＳＤＥＴ、ＣＭＰＤＥＴ、ＨＤＭＩＤＥＴ）が格納されている。制御部１０は、各フラグを全てクリアする（Ｓ２０１）。次に、制御部１０は、コンポーネント入力端子ＩＮ２に映像信号が入力されているか否かを判断する（Ｓ２０２）。入力されている場合（Ｓ２０２でＹＥＳ）、制御部１０は、ＣＭＰＤＥＴをセットする（Ｓ２０３）。次に、制御部１０は、Ｓビデオ入力端子ＩＮ３に映像信号が入力されているか否かを判断する（Ｓ２０４）。入力されている場合（Ｓ２０４でＹＥＳ）、制御部１０は、ＳＤＥＴをセットする（Ｓ２０５）。次に、制御部１０は、ＣＶＢＳ入力端子ＩＮ４に映像信号が入力されているか否かを判断する（Ｓ２０６）。入力されている場合（Ｓ２０６でＹＥＳ）、制御部１０は、ＣＶＢＳＤＥＴをセットする（Ｓ２０７）。次に、制御部１０は、ＨＤＭＩ入力端子ＩＮ１にＨＤＭＩデータが入力されているか否かを判断する（Ｓ２０８）。入力されている場合（Ｓ２０８でＹＥＳ）、制御部１０は、ＨＤＭＩＤＥＴをセットする（Ｓ２０９）。
【００３４】
［ＨＤＭＩ出力端子ＯＵＴ１に接続されている機器がＨＤＭＩデータを受信可能な状態か否かの判断処理］
図４はＳ１０４の詳細を示す。制御部１０は、ＨＤＭＩ出力端子ＯＵＴ１に接続されているディスプレイ装置６０Ａから出力されるホットプラグ信号を検出する（Ｓ４０１）。制御部１０は、ハイレベルのホットプラグ信号を検出できたか否かを判断する（Ｓ４０２）。ＨＤＭＩ出力端子ＯＵＴ１にディスプレイ装置６０Ａが接続されており、かつ、ＨＤＭＩデータを受信可能である場合、ハイレベルのホットプラグ信号が検出される（Ｓ４０２でＹＥＳ）。このとき、制御部１０は、映像出力先（Monitor Out）をＨＤＭＩ出力端子ＯＵＴ１に設定する（つまり、Monitor Out=HDMIをメモリ１１に記憶する）。一方、ＨＤＭＩ出力端子ＯＵＴ１にディスプレイ装置６０Ａが接続されていない、又は、ディスプレイ装置６０Ａが電源オフ状態である等の場合、ローレベルのホットプラグ信号が検出される（Ｓ４０２でＮＯ）。このとき、制御部１０は、映像出力先（Monitor Out）を所定のアナログ映像出力端子ＯＵＴ２〜ＯＵＴ４（ここではコンポーネント出力端子ＯＵＴ２）に設定する（つまり、Monitor Out=Analogをメモリ１１に記憶する）。
【００３５】
［解像度情報取得］
図５はＳ１０５の詳細を示す。制御部１０は、ＶＳＰ５への映像入力がＲＸ２からに設定されているか否かを判断する（Ｓ３０１）。ＶＳＰ５への映像入力がＲＸ２からに設定されている場合（Ｓ３０１でＹＥＳ）、制御部１０は、入力されている映像データの解像度情報をＲＸ２から取得する（Ｓ３０２）。一方、ＶＳＰ５への映像入力がビデオデコーダ４からに設定されている場合（Ｓ３０１でＮＯ）、制御部１０は、入力されている映像データの解像度情報をビデオデコーダ４から取得する（Ｓ３０３）。
【００３６】
［映像入出力経路の判定］
図６はＳ１０６の詳細を示す。メモリ１１には、映像入出力経路におけるアナログ映像入力端子を特定するための変数であるAnalog Video変数が格納されている。Ｓ５０１〜Ｓ５０７では、図３における入力信号検出処理の結果に基づいて、Analog Video変数が書き込まれる。Analog
Video変数の優先順位は、コンポーネント入力端子ＩＮ２、Ｓビデオ入力端子ＩＮ３、ＣＶＢＳ入力端子ＩＮ４の順番になっている。制御部１０は、Analog Video変数をNONEに設定する（Ｓ５０１）。次に、制御部１０は、CVBSDETがセットされているか否かを判断する（Ｓ５０２）。CVBSDETがセットされている場合（Ｓ５０２でＹＥＳ）、ＣＶＢＳ入力端子ＩＮ４に映像信号が入力されているので、制御部１０は、Analog Video変数にCVBSを書き込む（Ｓ５０３）。次に、制御部１０は、SDETがセットされているか否かを判断する（Ｓ５０４）。SDETがセットされている場合（Ｓ５０４でＹＥＳ）、Ｓビデオ入力端子ＩＮ３に映像信号が入力されているので、制御部１０は、Analog Video変数にSVIDEOを書き込む（Ｓ５０５）。次に、制御部１０は、CMPDETがセットされているか否かを判断する（Ｓ５０６）。CMPDETがセットされている場合（Ｓ５０６でＹＥＳ）、コンポーネント入力端子ＩＮ２に映像信号が入力されているので、制御部１０は、Analog Video変数にCMPを書き込む（Ｓ５０７）。
【００３７】
制御部１０は、図４において設定した映像出力先Monitor OutがＨＤＭＩ出力端子ＯＵＴ１であるか否かを判断する（Ｓ５０８）。Monitor OutがＨＤＭＩ出力端子ＯＵＴ１ではなく、アナログ映像出力端子ＯＵＴ２である場合（Ｓ５０８でＮＯ）、制御部１０は、映像入出力経路を、「アナログ映像入力端子−ＶＳＰ５−アナログ映像出力端子ＯＵＴ２」に設定する。ここで、アナログ映像入力端子は、Ｓ５０１〜Ｓ５０７で設定したAnalog Video変数に書き込まれているアナログ映像入力端子ＩＮ２〜ＩＮ４である。つまり、Analog Video変数にCMPが書き込まれている場合には、アナログ映像入力端子は、コンポーネント入力端子ＩＮ２となる。
【００３８】
Monitor OutがＨＤＭＩ出力端子ＯＵＴ１である場合（Ｓ５０８でＹＥＳ）、制御部１０は、図３のＳ２０９でＨＤＭＩＤＥＴがセットされているか否かを判断する（Ｓ５１０）。ＨＤＭＩＤＥＴがセットされていない場合（Ｓ５１０でＮＯ）、ＨＤＭＩ入力端子ＩＮ１にＨＤＭＩデータが入力されていないので、制御部１０は、映像入出力経路を、「アナログ映像入力端子−ＶＳＰ５−ＨＤＭＩ出力端子ＯＵＴ１」に設定する（Ｓ５１１）。ＨＤＭＩＤＥＴがセットされている場合（Ｓ５１０でＹＥＳ）、ＨＤＭＩ入力端子ＩＮ１にＨＤＭＩデータが入力されているので、制御部１０は、映像入出力経路を、「ＨＤＭＩ入力端子ＩＮ１−ＶＳＰ５−ＨＤＭＩ出力端子ＯＵＴ１」に設定する（Ｓ５１２）。
【００３９】
［信号切り換え処理］
図７はＳ１０８の詳細を示す。制御部１０は、映像入出力経路を切り換える際に、乱れた映像がディスプレイ装置に出力されないように、映像信号をミュート処理する（Ｓ６０１）。次に、制御部１０は、スイッチ部３等を制御し、アナログ映像信号の入力経路を設定する（Ｓ６０２）。次に、制御部１０は、ＲＸ２の各設定を実行する（詳細後述）（Ｓ６０３）。例えば、制御部１０は、複数のＨＤＭＩ入力端子が設けられている場合に、１つのＨＤＭＩ入力端子を選択するようにＲＸ２を制御する（Ｓ６０３）。
【００４０】
次に、制御部１０は、Monitor OUTがＨＤＭＩ出力端子ＯＵＴ１に設定されているか否かを判断する（Ｓ６０４）。Monitor OUTがＨＤＭＩ出力端子ＯＵＴ１ではなく、アナログ映像出力端子である場合（Ｓ６０４でＮＯ）、Ｓ６０９に進む。Monitor OUTがＨＤＭＩ出力端子ＯＵＴ１である場合（Ｓ６０４でＹＥＳ）、制御部１０は、ＨＤＭＩ出力端子ＯＵＴ１に接続されているディスプレイ装置６０Ａから解像度情報を取得済であるか否かを判断し（Ｓ６０５）、未取得である場合（Ｓ６０５でＮＯ）、解像度情報を取得し終えるまで待機する（Ｓ６０６）。次に、制御部１０は、ＶＳＰ５への映像信号の入力元がＲＸ２であるか否かを判断する（Ｓ６０７）。ＶＳＰ５への映像信号の入力元がＲＸ２である場合（Ｓ６０７でＹＥＳ）、制御部１０は、入力される映像データの解像度情報をＲＸ２から取得する（Ｓ６０８）。一方、ＶＳＰ５への映像信号の入力元がビデオデコーダ４である場合（Ｓ６０７でＮＯ）、制御部１０は、入力される映像データの解像度情報をビデオデコーダ４から取得する（Ｓ６０９）。次に、制御部１０は、解像度情報を取得済であるか否かを判断し（Ｓ６１１）、未取得であれば（Ｓ６１１でＮＯ）、解像度情報を取得し終えるまで待機する（Ｓ６１０）。
【００４１】
次に、制御部１０は、ＶＳＰ５の設定を実行する（詳細は後述する）（Ｓ６１２）。次に、制御部１０は、Monitor OUTがＨＤＭＩ出力端子ＯＵＴ１に設定されているか否かを判断する（Ｓ６１３）。Monitor OUTがＨＤＭＩ出力端子ＯＵＴ１である場合（Ｓ６１３でＹＥＳ）、制御部１０は、ＴＸ６の解像度設定などの設定を実行する（Ｓ６１４）。Monitor OUTがＨＤＭＩ出力端子ＯＵＴ１ではなく、アナログ映像出力端子である場合（Ｓ６１３でＮＯ）、制御部１０は、ビデオエンコーダ８の解像度設定などの設定を実行する（Ｓ６１５）。次に、制御部１０は、スイッチ部９等を制御し、アナログ映像信号の出力経路を設定する（Ｓ６１６）。次に、制御部１０は、映像のミュート処理を解除する。
【００４２】
［ＶＳＰ５の設定処理］
図８は図７のＳ６１２の詳細を示す。制御部１０は、Monitor OUTがＨＤＭＩ出力端子ＯＵＴ１に設定されているか否かを判断する（Ｓ７０１）。Monitor OUTがＨＤＭＩ出力端子ＯＵＴ１ではなく、アナログ映像出力端子である場合（Ｓ７０１でＮＯ）、制御部１０は、ＶＳＰ５の出力先としてビデオエンコーダ８を選択する（Ｓ７０２）。次に、制御部１０は、ＶＳＰ５に入力される映像の周波数が５０Ｈｚであるか否かを判断する（Ｓ７０４）。制御部１０は、周波数が５０Ｈｚでなければ（Ｓ７０４でＮＯ）、ＶＳＰ５のＯＳＤ出力用の解像度を４８０ｐに設定し（Ｓ７０５）、周波数が５０Ｈｚであれば（Ｓ７０４でＹＥＳ）、ＶＳＰ５のＯＳＤ出力用の解像度を５７６ｐに設定する（Ｓ７０６）。
【００４３】
Monitor OUTがＨＤＭＩ出力端子ＯＵＴ１である場合（Ｓ７０１でＹＥＳ）、制御部１０は、ＶＳＰ５の出力先としてＴＸ６を選択する（Ｓ７０３）。次に、制御部１０は、ＶＳＰ５に入力される映像の周波数が５０Ｈｚであるか否かを判断する（Ｓ７０７）。制御部１０は、周波数が５０Ｈｚでなければ（Ｓ７０７でＮＯ）、ＶＳＰ５のＯＳＤ出力用の解像度を４８０ｉに設定し（Ｓ７０８）、周波数が５０Ｈｚであれば（Ｓ７０７でＹＥＳ）、ＶＳＰ５のＯＳＤ出力用の解像度を５７６ｉに設定する（Ｓ７０９）。
【００４４】
次に、制御部１０は、図６で設定された映像入出力経路に基づいて、ＶＳＰ５への入力元を設定する（Ｓ７１０）。つまり、制御部１０は、映像入出力経路が「アナログ映像入力端子−ＶＳＰ５−アナログ映像出力端子ＯＵＴ２」又は「アナログ映像入力端子−ＶＳＰ５−ＨＤＭＩ出力端子ＯＵＴ１」である場合、ＶＳＰ５への入力元としてビデオデコーダ４を選択し、「ＨＤＭＩ入力端子ＩＮ１−ＶＳＰ５−ＨＤＭＩ出力端子ＯＵＴ１」である場合、ＶＳＰ５への入力元としてＲＸ２を選択する。
【００４５】
次に、制御部１０は、ＶＳＰ５の出力解像度設定および画質調整設定を実行する（Ｓ７１１、Ｓ７１２）。制御部１０は、ＶＳＰ５が指定の映像データを出力し、安定したか否かを判断する（Ｓ７１３）。安定していない場合（Ｓ７１３でＮＯ）、安定するまで待機し（Ｓ７１４）。安定後、ＶＳＰ５の設定処理を終了する。
【００４６】
［アナログ映像信号の入出力切換処理］
図９は、Ｓ６０２，Ｓ６１６の詳細を示し、アナログの映像信号についてスイッチ部３及び９の切り換え処理を示す。制御部１０は、Monitor OUTがＨＤＭＩ出力端子ＯＵＴ１に設定されているか否かを判断する（Ｓ８０１）。Monitor OUTがアナログ映像出力端子である場合（Ｓ８０１でＮＯ）、制御部１０は、Analog Video変数がCMPであるか否かを判断する（Ｓ８０２）。Analog Video変数がCMPであれば（Ｓ８０２でＹＥＳ）、制御部１０は、ＣＶＢＳ入力端子ＩＮ４からの映像信号をＣＶＢＳ出力端子ＯＵＴ４から出力し、Ｓビデオ入力端子ＩＮ３からの映像信号をＳビデオ出力端子ＯＵＴ３から出力し、コンポーネント入力端子ＩＮ２からの映像信号をＶＳＰ５経由でコンポーネント出力端子ＯＵＴ２から出力するように、スイッチ部３および９を切り換え制御する（Ｓ８０３）。
【００４７】
Analog Video変数がCMPでなければ（Ｓ８０２でＮＯ）、制御部１０は、Analog Video変数がSVIDEOであるか否かを判断する（Ｓ８０４）。Analog Video変数がSVIDEOであれば（Ｓ８０４でＹＥＳ）、制御部１０は、出力解像度設定が「Through」に設定されているか否かを判断する（Ｓ８０５）。出力解像度設定が「Through」であれば（Ｓ８０５でＹＥＳ）、制御部１０は、Ｓビデオ入力端子ＩＮ３からの映像信号をＶＳＰ５経由で、ＣＶＢＳ出力端子ＯＵＴ４とＳビデオ出力端子ＯＵＴ３とコンポーネント出力端子ＯＵＴ２とから出力するように、スイッチ部３および９を切り換え制御する（Ｓ８０６）。出力解像度設定が「Through」でなければ（Ｓ８０５でＮＯ）、制御部１０は、ＣＶＢＳ入力端子ＩＮ４からの映像信号をＣＶＢＳ出力端子ＯＵＴ４から出力し、Ｓビデオ入力端子ＩＮ３からの映像信号をＳビデオ出力端子ＯＵＴ３から出力し、Ｓビデオ入力端子ＩＮ３からの映像信号をＶＳＰ５経由でコンポーネント出力端子ＯＵＴ２から出力するように、スイッチ部３および９を切り換え制御する（Ｓ８０７）。
【００４８】
Analog Video変数がSVIDEOでなければ（Ｓ８０４でＮＯ）、制御部１０は、Analog Video変数がCVBSであるか否かを判断する（Ｓ８０８）。Analog Video変数がCVBSであれば（Ｓ８０８でＹＥＳ）、制御部１０は、出力解像度設定が「Through」に設定されているか否かを判断する（Ｓ８０９）。出力解像度設定が「Through」であれば（Ｓ８０９でＹＥＳ）、制御部１０は、ＣＶＢＳ入力端子ＩＮ４からの映像信号をＶＳＰ５経由で、ＣＶＢＳ出力端子ＯＵＴ４とＳビデオ出力端子ＯＵＴ３とコンポーネント出力端子ＯＵＴ２とから出力するように、スイッチ部３および９を切り換え制御する（Ｓ８１０）。出力解像度設定が「Through」でなければ（Ｓ８０９でＮＯ）、制御部１０は、ＣＶＢＳ入力端子ＩＮ４からの映像信号をＣＶＢＳ出力端子ＯＵＴ４から出力し、Ｓビデオ入力端子ＩＮ３からの映像信号をＳビデオ出力端子ＯＵＴ３から出力し、ＣＶＢＳ入力端子ＩＮ４からの映像信号をＶＳＰ５経由でコンポーネント出力端子ＯＵＴ２から出力するように、スイッチ部３および９を切り換え制御する（Ｓ８１１）。
【００４９】
Analog Video変数がCVBSでなければ（Ｓ８０８でＮＯ）、制御部１０は、ＶＳＰ５からの映像信号（例えばブルーバック）を、ＣＶＢＳ出力端子ＯＵＴ４とＳビデオ出力端子ＯＵＴ３とコンポーネント出力端子ＯＵＴ２とから出力するように、スイッチ部３および９を切り換え制御する（Ｓ８１２）。
【００５０】
Monitor OUTがＨＤＭＩ出力端子である場合（Ｓ８０１でＹＥＳ）、制御部１０は、HDMIDETがセットされているか否かを判断する（Ｓ８１２）。HDMIDETがセットされている場合（Ｓ８１２でＹＥＳ）、制御部１０は、ＣＶＢＳ入力端子ＩＮ４からの映像信号をＣＶＢＳ出力端子ＯＵＴ４から出力し、Ｓビデオ入力端子ＩＮ３からの映像信号をＳビデオ出力端子ＯＵＴ３から出力し、コンポーネント入力端子ＩＮ２からの映像信号をコンポーネント出力端子ＯＵＴ２から出力し、ＨＤＭＩ入力端子ＩＮ１からの映像データをＶＳＰ５経由でＨＤＭＩ出力端子ＯＵＴ１に出力するように、スイッチ部３および９を切り換え制御する（Ｓ８１３）。
【００５１】
HDMIDETがセットされていない場合（Ｓ８１２でＮＯ）、制御部１０は、Analog Video変数がCMPであるか否かを判断する（Ｓ８１４）。Analog Video変数がCMPである場合（Ｓ８１４でＹＥＳ）、制御部１０は、ＣＶＢＳ入力端子ＩＮ４からの映像信号をＣＶＢＳ出力端子ＯＵＴ４から出力し、Ｓビデオ入力端子ＩＮ３からの映像信号をＳビデオ出力端子ＯＵＴ３から出力し、コンポーネント入力端子ＩＮ２からの映像信号をコンポーネント出力端子ＯＵＴ２から出力し、コンポーネント入力端子ＩＮ２からの映像信号をＶＳＰ５経由でＨＤＭＩ出力端子ＯＵＴ１から出力するように、スイッチ部３および９を切り換え制御する（Ｓ８１５）。
【００５２】
Analog Video変数がCMPでない場合（Ｓ８１４でＮＯ）、制御部１０は、Analog Video変数がSVIＤＥOであるか否かを判断する（Ｓ８１６）。Analog
Video変数がSVIＤＥOである場合（Ｓ８１６でＹＥＳ）、制御部１０は、ＣＶＢＳ入力端子ＩＮ４からの映像信号をＣＶＢＳ出力端子ＯＵＴ４から出力し、Ｓビデオ入力端子ＩＮ３からの映像信号をＳビデオ出力端子ＯＵＴ３から出力し、コンポーネント入力端子ＩＮ２からの映像信号をコンポーネント出力端子ＯＵＴ２から出力し、Ｓビデオ入力端子ＩＮ３からの映像信号をＶＳＰ５経由でＨＤＭＩ出力端子ＯＵＴ１から出力するように、スイッチ部３および９を切り換え制御する（Ｓ８１７）。
【００５３】
Analog Video変数がSVIDEOでない場合（Ｓ８１６でＮＯ）、制御部１０は、Analog Video変数がCVBSであるか否かを判断する（Ｓ８１８）。Analog Video変数がCVBSである場合（Ｓ８１８でＹＥＳ）、制御部１０は、ＣＶＢＳ入力端子ＩＮ４からの映像信号をＣＶＢＳ出力端子ＯＵＴ４から出力し、Ｓビデオ入力端子ＩＮ３からの映像信号をＳビデオ出力端子ＯＵＴ３から出力し、コンポーネント入力端子ＩＮ２からの映像信号をコンポーネント出力端子ＯＵＴ２から出力し、ＣＶＢＳ入力端子ＩＮ４からの映像信号をＶＳＰ５経由でＨＤＭＩ出力端子ＯＵＴ１から出力するように、スイッチ部３および９を切り換え制御する（Ｓ８１９）。
【００５４】
Analog Video変数がCVBSでない場合（Ｓ８１８でＮＯ）、制御部１０は、ＶＳＰ５からの映像信号（ブルーバック）を、ＣＶＢＳ出力端子ＯＵＴ４とＳビデオ出力端子ＯＵＴ３とコンポーネント出力端子ＯＵＴ２とＨＤＭＩ出力端子ＯＵＴ１とから出力するように、スイッチ部３および９を切り換え制御する（Ｓ８２０）。
【００５５】
［ＲＸ２の設定処理］
図１０は図７のＳ６０３の詳細を示す。制御部１０は、図６における映像入出力経路の判断結果に基づいて、映像入出力経路が、「アナログ映像入力端子−ＶＳＰ５−アナログ映像出力端子ＯＵＴ２」であるか否かを判断する（Ｓ９０１）。映像入出力経路が、「アナログ映像入力端子−ＶＳＰ５−アナログ映像出力端子ＯＵＴ２」であれば（Ｓ９０１でＹＥＳ）、制御部１０は、ＨＤＭＩ入力端子ＩＮ１にＨＤＭＩデータが入力されているか否かを判断する（Ｓ９０２）。ＨＤＭＩデータが入力されている場合（Ｓ９０２でＹＥＳ）、制御部１０は、スイッチ部１３にＲＸ２を選択させ、ＲＸ２を電源オフ状態にせずに、ＲＸ２に対して、ＨＤＭＩ入力端子ＩＮ１に入力されるＨＤＭＩデータを受信させ、ＨＤＭＩデータから音声データのみを生成させ、スイッチ部１３を介して音声処理部７に供給させる（Ｓ９０３）。制御部１０は、ＲＸ２に対して、ＨＤＭＩ入力端子ＩＮ１に入力されるＨＤＭＩデータから、映像データを生成させず、映像データをＶＳＰ５に供給させない。
【００５６】
一方、ＨＤＭＩデータが入力されていない場合（Ｓ９０２でＮＯ）、制御部１０は、ＲＸ２を電源オフ状態に制御する（Ｓ９０４）。制御部１０は、スイッチ部１３に、音声入力端子ＩＮ５又はＩＮ６を選択させる。
【００５７】
映像入出力経路が、「アナログ映像入力端子−ＶＳＰ５−アナログ映像出力端子ＯＵＴ２」ではない場合（Ｓ９０１でＮＯ）、制御部１０は、映像出力経路が、「ＨＤＭＩ入力端子ＩＮ１−ＶＳＰ５−ＨＤＭＩ出力端子ＯＵＴ１」であるか否かを判断する（Ｓ９０５）。映像出力経路が、「ＨＤＭＩ入力端子ＩＮ１−ＶＳＰ５−ＨＤＭＩ出力端子ＯＵＴ１」であれば（Ｓ９０５でＹＥＳ）、制御部１０は、スイッチ部１３にＲＸ２を選択させ、ＲＸ２に対して、ＨＤＭＩ入力端子ＩＮ１に入力されるＨＤＭＩデータを受信させ、ＨＤＭＩデータから映像データを生成させＶＳＰ５に供給させると共に、ＨＤＭＩデータから音声データを生成させ、スイッチ部１３を介して音声処理部７に供給させる（Ｓ９０６）。
【００５８】
映像出力経路が、「アナログ映像入力端子−ＶＳＰ５−ＨＤＭＩ出力端子ＯＵＴ１」であれば（Ｓ９０５でＮＯ）、制御部１０は、ＲＸ２を電源オフ状態に制御する（Ｓ９０４）。制御部１０は、スイッチ部１３に、音声入力端子ＩＮ５又はＩＮ６を選択させる。
【００５９】
図１０の処理による作用効果について説明する。
［ケース１］
図１Ａに示すようにＤＶＤプレーヤ５０ＡがＨＤＭＩ入力端子ＩＮ１と、コンポーネント入力端子ＩＮ２と、音声入力端子ＩＮ５に接続されており、各入力端子ＩＮ１、ＩＮ２、ＩＮ５にＨＤＭＩデータ、アナログ映像信号及び音声信号がそれぞれ入力されている。ディスプレイ装置６０ＡがＨＤＭＩ出力端子ＯＵＴ１に接続され、ディスプレイ装置６０Ｂがコンポーネント出力端子ＯＵＴ２に接続されている。ディスプレイ装置６０Ａが電源オン状態で、ディスプレイ装置６０Ｂが電源オフ状態である。このとき、ＤＶＤプレーヤ５０ＡからＨＤＭＩ入力端子ＩＮ１に入力されるＨＤＭＩデータが、ＲＸ２に供給される。ＲＸ２は、ＨＤＭＩデータから映像データを生成し、ＶＳＰ５に供給し、ＨＤＭＩデータから音声データを生成し、スイッチ部１３を介して音声処理部７に供給する。映像データは、ＶＳＰ５を介してＴＸ６に供給され、ＴＸ６においてＨＤＭＩデータに変換され、ＨＤＭＩ出力端子ＯＵＴ１を介してディスプレイ装置６０Ａに供給される。従って、ディスプレイ装置６０Ａにおいて、映像データが表示される。音声データは音声処理部７において増幅され、スピーカー７０に出力され、音声が再生される。
【００６０】
この状況において、ディスプレイ装置６０Ａの電源がオフ状態にされ、ディスプレイ装置６０Ｂの電源がオン状態にされる。図４において、ディスプレイ装置６０Ａの電源がオフ状態にされることにより、ホットプラグ信号がローレベルになるので（Ｓ４０２でＮＯ）、Monitor OUTがAnalog（コンポーネント出力端子ＯＵＴ２）に設定される。図９において、Monitor OUTがAnalogであり（Ｓ８０１でＮＯ）、Analog Video変数がCMPであるので（Ｓ８０２でＹＥＳ）、コンポーネント入力端子ＩＮ２からの映像信号がＶＳＰ５を経由してコンポーネント出力端子ＯＵＴ２から出力されるようにスイッチ部３および９が切り換え制御される。図８において、ＶＳＰ５への入力元としてビデオデコーダ４が選択され、ＶＳＰ５からの出力先としてビデオエンコーダ８が選択される。その結果、ＤＶＤプレーヤ５０Ａからコンポーネント入力端子ＩＮ２に入力される映像信号が、ＶＳＰ５において画像処理されて、コンポーネント出力端子ＯＵＴ２から出力されるように自動的に設定される。従って、コンポーネント入力端子ＩＮ２に入力される映像信号を画像処理した後、ディスプレイ装置６０Ｂに出力し、表示させることができる。
【００６１】
映像入出力経路が「ＨＤＭＩ入力端子ＩＮ１−ＶＳＰ５−ＨＤＭＩ出力端子ＯＵＴ１」から「アナログ映像入力端子ＩＮ２−ＶＳＰ５−アナログ映像出力端子ＯＵＴ２」に変更されるので、一般的にはＲＸ２の電源がオフ状態にされ、ＲＸ２の処理が全く実行されなくなり、スイッチ部１３は音声入力端子ＩＮ５を選択する。そのため、音声入力端子ＩＮ５に入力される音声信号が音声処理部７で増幅され、スピーカー７０に出力される。その結果、ＨＤＭＩデータに含まれる音声データを再生できなくなる。もしくは、ＤＶＤプレーヤ５０Ａが音声入力端子ＩＮ５に接続されていない場合には、音声を再生できなくなる。しかし、本発明では、映像入出力経路を「ＨＤＭＩ入力端子ＩＮ１−ＶＳＰ５−ＨＤＭＩ出力端子ＯＵＴ１」から「アナログ映像入力端子ＩＮ２−ＶＳＰ５−アナログ映像出力端子ＯＵＴ２」に変更すると、ＨＤＭＩ入力端子ＩＮ１にＨＤＭＩデータが入力されているか否かが判断され、ＨＤＭＩデータが入力されている場合には、ＲＸ２を電源オフ状態にせず、ＲＸ２にＨＤＭＩデータから音声データのみを生成させる。従って、ＲＸ２は、ＨＤＭＩデータから音声データを生成し、スイッチ部１３を介して音声処理部７に音声データを供給するので、ＨＤＭＩデータに含まれる音声データを増幅してスピーカーに出力することができる。
【００６２】
以上のように、ＨＤＭＩ出力端子ＯＵＴ１に接続されているディスプレイ装置６０ＡがＨＤＭＩデータを受信できない状態になると、映像入出力経路が、コンポーネント入力端子ＩＮ２からＶＳＰ５を経由してコンポーネント出力端子ＯＵＴ２に出力するように設定されるにもかかわらず、音声についてはＨＤＭＩデータに含まれる音声データを再生することができる。
【００６３】
［ケース２］
図１Ｂに示すようにＤＶＤプレーヤ５０ＡがＨＤＭＩ入力端子ＩＮ１に接続されている。ＤＶＤプレーヤ５０Ａは音楽ＣＤを再生しているので、音声データのみを含むＨＤＭＩデータがＨＤＭＩ入力端子ＩＮ１に入力される。ＤＶＤプレーヤ５０Ｂがコンポーネント入力端子ＩＮ２に接続され、コンポーネント入力端子ＩＮ２に映像信号が入力されている。ディスプレイ装置６０ＡがＨＤＭＩ出力端子ＯＵＴ１に接続され、ディスプレイ装置６０Ｂがコンポーネント出力端子ＯＵＴ２に接続されている。ディスプレイ装置６０Ａが電源オン状態で、ディスプレイ装置６０Ｂが電源オフ状態である。このとき、ＤＶＤプレーヤ５０ＡからＨＤＭＩ入力端子ＩＮ１に入力されるＨＤＭＩデータが、ＲＸ２に供給される。ＲＸ２は、ＨＤＭＩデータから音声データを生成し、スイッチ部１３を介して音声処理部７に供給する。音声データは音声処理部７において増幅され、スピーカー７０に出力され、音声が再生される。
【００６４】
この状況において、ディスプレイ装置６０Ａの電源がオフ状態にされ、ディスプレイ装置６０Ｂの電源がオン状態にされる。上記と同様に、ＤＶＤプレーヤ５０Ｂからコンポーネント入力端子ＩＮ２に入力される映像信号が、ＶＳＰ５において画像処理されて、コンポーネント出力端子ＯＵＴ２から出力されるように自動的に設定される。従って、コンポーネント入力端子ＩＮ２に入力される映像信号を画像処理した後、ディスプレイ装置６０Ｂに出力して、表示させることができる。
【００６５】
ここで、映像入出力経路を「ＨＤＭＩ入力端子ＩＮ１−ＶＳＰ５−ＨＤＭＩ出力端子ＯＵＴ１」から「アナログ映像入力端子ＩＮ２−ＶＳＰ５−アナログ映像出力端子ＯＵＴ２」に変更すると、一般的にはＲＸ２の電源がオフ状態にされ、ＲＸ２の処理が全く実行されなくなり、スイッチ部１３は音声入力端子ＩＮ５又はＩＮ６を選択する。その結果、ＨＤＭＩデータに含まれる音声データを再生できなくなる。しかし、本発明では、映像入出力経路を「ＨＤＭＩ入力端子ＩＮ１−ＶＳＰ５−ＨＤＭＩ出力端子ＯＵＴ１」から「アナログ映像入力端子ＩＮ２−ＶＳＰ５−アナログ映像出力端子ＯＵＴ２」に変更すると、ＨＤＭＩ入力端子ＩＮ１にＨＤＭＩデータが入力されているか否かが判断され、ＨＤＭＩデータが入力されている場合には、ＲＸ２を電源オフ状態にせず、ＲＸ２にＨＤＭＩデータから音声データのみを生成させる。従って、ＲＸ２は、ＨＤＭＩデータから音声データを生成し、スイッチ部１３を介して音声処理部７に供給するので、ＨＤＭＩデータに含まれる音声データ（音楽ＣＤの音声データ）を再生することができる。
【００６６】
以上のように、ＨＤＭＩ出力端子ＯＵＴ１に接続されているディスプレイ装置６０ＡがＨＤＭＩデータを受信できない状態になると、映像信号の入出力経路が、コンポーネント入力端子ＩＮ２からＶＳＰ５を経由してコンポーネント出力端子ＯＵＴ２に出力するように設定されるにもかかわらず、音声については、ＨＤＭＩデータに含まれる音声データを再生することができる。
【００６７】
なお、図６の処理において、Ｓ５０９で映像入出力経路が「アナログ映像入力端子−アナログ映像出力端子」に設定され、Ｓ５１１で映像入出力経路が「アナログ映像入力端子−ＨＤＭＩ出力端子」に設定され、Ｓ５１２で映像入出力経路が「ＨＤＭＩ入力端子−ＨＤＭＩ出力端子」に設定されてもよい。また、図１０の処理において、Ｓ９０１で映像入出力経路が「アナログ映像入力端子−アナログ映像出力端子」であるかが判断され、Ｓ９０５で映像入出力経路が「ＨＤＭＩ入力端子−ＨＤＭＩ出力端子」であるかが判断されてもよい。
【００６８】
以上、本発明の好ましい実施形態を説明したが、本発明はこれらの実施形態には限定されない。ＡＶアンプの上記動作をコンピュータに実行させるためのプログラムおよびこれを記録した記録媒体という形態で提供されてもよい。
【産業上の利用可能性】
【００６９】
本発明は、ＡＶアンプ等に好適に採用され得る。
【図面の簡単な説明】
【００７０】
【図１Ａ】本発明のＡＶアンプ１を示すブロック図である。
【図１Ｂ】本発明のＡＶアンプ１を示すブロック図である。
【図２】制御部１０の処理を示すフローチャートである。
【図３】制御部１０の処理を示すフローチャートである。
【図４】制御部１０の処理を示すフローチャートである。
【図５】制御部１０の処理を示すフローチャートである。
【図６】制御部１０の処理を示すフローチャートである。
【図７】制御部１０の処理を示すフローチャートである。
【図８】制御部１０の処理を示すフローチャートである。
【図９】制御部１０の処理を示すフローチャートである。
【図１０】制御部１０の処理を示すフローチャートである。
【符号の説明】
【００７１】
１              ＡＶアンプ
２              ＨＤＭＩ受信部
３              スイッチ部
４              ビデオデコーダ
５              画像処理部
６              ＨＤＭＩ送信部
７              音声処理部
８              ビデオエンコーダ
９              スイッチ部
１０            制御部
１１            メモリ
１２            操作表示部
１３            スイッチ部
ＩＮ１          ＨＤＭＩ入力端子
ＩＮ２          コンポーネント入力端子
ＩＮ３          Ｓビデオ入力端子
ＩＮ４          ＣＶＢＳ入力端子
ＩＮ５          音声入力端子
ＩＮ６          音声入力端子
ＯＵＴ１        ＨＤＭＩ出力端子
ＯＵＴ２        コンポーネント出力端子
ＯＵＴ３        Ｓビデオ出力端子
ＯＵＴ４        ＣＶＢＳ出力端子
【図１Ａ】
2011004315.tif 000003
【図１Ｂ】
2011004315.tif 000004
【図２】
2011004315.tif 000005
【図３】
2011004315.tif 000006
【図４】
2011004315.tif 000007
【図５】
2011004315.tif 000008
【図６】
2011004315.tif 000009
【図７】
2011004315.tif 000010
【図８】
2011004315.tif 000011
【図９】
2011004315.tif 000012
【図１０】
2011004315.tif 000013
【手続補正書】
【提出日】平成22年1月18日(2010.1.18)
【手続補正１】
【補正対象書類名】特許請求の範囲
【補正対象項目名】全文
【補正方法】変更
【補正の内容】
【特許請求の範囲】
【請求項１】
映像データ及び音声データを含む所定規格デジタルデータが入力される１つ以上の所定規格デジタル入力端子と、
アナログの映像信号が入力される１つ以上のアナログ映像入力端子と、
前記所定規格デジタルデータを出力する１つ以上の所定規格デジタル出力端子と、
アナログの映像信号を出力する１つ以上のアナログ映像出力端子と、
前記所定規格デジタル入力端子に入力される所定規格デジタルデータを受信し、所定規格デジタルデータから映像データおよび／または音声データを生成する受信手段と、
映像入出力経路を、少なくとも、アナログ映像入力端子−アナログ映像出力端子、又は、所定規格デジタル入力端子−所定規格デジタル出力端子に切り換える切換手段と、
前記所定規格デジタル入力端子に所定規格デジタルデータが入力されているか否かを判断する入力判断手段と、
映像入出力経路が、アナログ映像入力端子−アナログ映像出力端子であるか否かを判断する経路判断手段とを備え、
映像入出力経路が、アナログ映像入力端子−アナログ映像出力端子であり、かつ、前記所定規格デジタル入力端子に所定規格デジタルデータが入力されている場合、前記受信手段が、所定規格デジタルデータから音声データのみを生成する、映像音声処理装置。
【請求項２】
映像データ及び音声データを含む所定規格デジタルデータが入力される１つ以上の所定規格デジタル入力端子と、
アナログの映像信号が入力される１つ以上のアナログ映像入力端子と、
前記所定規格デジタルデータを出力する１つ以上の所定規格デジタル出力端子と、
アナログの映像信号を出力する１つ以上のアナログ映像出力端子と、
前記所定規格デジタル入力端子に入力される所定規格デジタルデータを受信し、所定規格デジタルデータから映像データおよび／または音声データを生成する受信手段と、
映像データに画像処理を実行する画像処理部と、
映像入出力経路を、少なくとも、アナログ映像入力端子−画像処理部−アナログ映像出力端子、又は、所定規格デジタル入力端子−画像処理部−所定規格デジタル出力端子に切り換える切換手段と、
前記所定規格デジタル入力端子に所定規格デジタルデータが入力されているか否かを判断する入力判断手段と、
映像入出力経路が、アナログ映像入力端子−画像処理部−アナログ映像出力端子であるか否かを判断する経路判断手段とを備え、
映像入出力経路が、アナログ映像入力端子−画像処理部−アナログ映像出力端子であり、かつ、前記所定規格デジタル入力端子に所定規格デジタルデータが入力されている場合、前記受信手段が、所定規格デジタルデータから音声データのみを生成する、映像音声処理装置。
【請求項３】
映像入出力経路が、アナログ映像入力端子−画像処理部−アナログ映像出力端子であり、かつ、前記所定規格デジタル入力端子に所定規格デジタルデータが入力されていない場合、前記受信手段が電源オフ状態になる、請求項２に記載の映像音声処理装置。
【請求項４】
前記切換手段が、映像入出力経路を、アナログ映像入力端子−画像処理部−所定規格デジタル出力端子にも切換可能であり、
映像入出力経路が、アナログ映像入力端子−画像処理部−所定規格デジタル出力端子である場合、前記受信手段が電源オフ状態になる、請求項２または３に記載の映像音声処理装置。
【請求項５】
前記所定規格デジタル出力端子に接続される機器が所定規格デジタルデータを受信可能な状態であるか否かを判断する状態判断手段をさらに備え、
前記所定規格デジタル出力端子に接続される機器が所定規格デジタルデータを受信可能な状態である場合、前記切換手段が、映像出力先を、前記所定規格デジタル出力端子に切り換え、
前記所定規格デジタル出力端子に接続される機器が所定規格デジタルデータを受信不可能な状態である場合、前記切換手段が、映像出力先を、前記アナログ映像出力端子に切り換える、請求項１〜４のいずれかに記載の映像音声処理装置。
【請求項６】
映像データ及び音声データを含む所定規格デジタルデータが入力される１つ以上の所定規格デジタル入力端子と、
アナログの映像信号が入力される１つ以上のアナログ映像入力端子と、
前記所定規格デジタルデータを出力する１つ以上の所定規格デジタル出力端子と、
アナログの映像信号を出力する１つ以上のアナログ映像出力端子と、
前記所定規格デジタル入力端子に入力される所定規格デジタルデータを受信し、所定規格デジタルデータから映像データおよび／または音声データを生成する受信手段と、
映像入出力経路を、少なくとも、アナログ映像入力端子−アナログ映像出力端子、又は、所定規格デジタル入力端子−所定規格デジタル出力端子に切り換える切換手段とを備える映像音声処理装置のプログラムであって、
前記所定規格デジタル入力端子に所定規格デジタルデータが入力されているか否かを判断するステップと、
映像入出力経路が、アナログ映像入力端子−アナログ映像出力端子であるか否かを判断するステップと、
映像入出力経路が、アナログ映像入力端子−アナログ映像出力端子であり、かつ、前記所定規格デジタル入力端子に所定規格デジタルデータが入力されている場合、前記受信手段に、所定規格デジタルデータから音声データのみを生成させるステップとをコンピュータに実行させる、映像音声処理プログラム。
【請求項７】
映像データ及び音声データを含む所定規格デジタルデータが入力される１つ以上の所定規格デジタル入力端子と、
アナログの映像信号が入力される１つ以上のアナログ映像入力端子と、
前記所定規格デジタルデータを出力する１つ以上の所定規格デジタル出力端子と、
アナログの映像信号を出力する１つ以上のアナログ映像出力端子と、
前記所定規格デジタル入力端子に入力される所定規格デジタルデータを受信し、所定規格デジタルデータから映像データおよび／または音声データを生成する受信手段と、
映像データに画像処理を実行する画像処理部と、
映像入出力経路を、少なくとも、アナログ映像入力端子−画像処理部−アナログ映像出力端子、又は、所定規格デジタル入力端子−画像処理部−所定規格デジタル出力端子に切り換える切換手段とを備える映像音声処理装置のプログラムであって、
前記所定規格デジタル入力端子に所定規格デジタルデータが入力されているか否かを判断するステップと、
映像入出力経路が、アナログ映像入力端子−画像処理部−アナログ映像出力端子であるか否かを判断するステップと、
映像入出力経路が、アナログ映像入力端子−画像処理部−アナログ映像出力端子であり、かつ、前記所定規格デジタル入力端子に所定規格デジタルデータが入力されている場合、前記受信手段に、所定規格デジタルデータから音声データのみを生成させるステップとをコンピュータに実行させる、映像音声処理プログラム。
【手続補正書】
【提出日】平成22年3月15日(2010.3.15)
【手続補正１】
【補正対象書類名】特許請求の範囲
【補正対象項目名】請求項６
【補正方法】変更
【補正の内容】
【請求項６】
映像データ及び音声データを含む所定規格デジタルデータが入力される１つ以上の所定規格デジタル入力端子と、
アナログの映像信号が入力される１つ以上のアナログ映像入力端子と、
前記所定規格デジタルデータを出力する１つ以上の所定規格デジタル出力端子と、
アナログの映像信号を出力する１つ以上のアナログ映像出力端子と、
前記所定規格デジタル入力端子に入力される所定規格デジタルデータを受信し、所定規格デジタルデータから映像データおよび／または音声データを生成する受信手段と、
映像入出力経路を、少なくとも、アナログ映像入力端子−アナログ映像出力端子、又は、所定規格デジタル入力端子−所定規格デジタル出力端子に切り換える切換手段とを備える映像音声処理装置のプログラムであって、
前記所定規格デジタル入力端子に所定規格デジタルデータが入力されているか否かを判断するステップと、
映像入出力経路が、アナログ映像入力端子−アナログ映像出力端子であるか否かを判断するステップと、
映像入出力経路が、アナログ映像入力端子−アナログ映像出力端子であり、かつ、前記所定規格デジタル入力端子に所定規格デジタルデータが入力されている場合、前記受信手段に、所定規格デジタルデータから音声データのみを生成させるステップとを前記映像音声処理装置が備える制御部に実行させる、映像音声処理プログラム。
【手続補正２】
【補正対象書類名】特許請求の範囲
【補正対象項目名】請求項７
【補正方法】変更
【補正の内容】
【請求項７】
映像データ及び音声データを含む所定規格デジタルデータが入力される１つ以上の所定規格デジタル入力端子と、
アナログの映像信号が入力される１つ以上のアナログ映像入力端子と、
前記所定規格デジタルデータを出力する１つ以上の所定規格デジタル出力端子と、
アナログの映像信号を出力する１つ以上のアナログ映像出力端子と、
前記所定規格デジタル入力端子に入力される所定規格デジタルデータを受信し、所定規格デジタルデータから映像データおよび／または音声データを生成する受信手段と、
映像データに画像処理を実行する画像処理部と、
映像入出力経路を、少なくとも、アナログ映像入力端子−画像処理部−アナログ映像出力端子、又は、所定規格デジタル入力端子−画像処理部−所定規格デジタル出力端子に切り換える切換手段とを備える映像音声処理装置のプログラムであって、
前記所定規格デジタル入力端子に所定規格デジタルデータが入力されているか否かを判断するステップと、
映像入出力経路が、アナログ映像入力端子−画像処理部−アナログ映像出力端子であるか否かを判断するステップと、
映像入出力経路が、アナログ映像入力端子−画像処理部−アナログ映像出力端子であり、かつ、前記所定規格デジタル入力端子に所定規格デジタルデータが入力されている場合、前記受信手段に、所定規格デジタルデータから音声データのみを生成させるステップとを前記映像音声処理装置が備える制御部に実行させる、映像音声処理プログラム。